(57)【要約】    【課題】  シート状拭材の拭部が清掃用ヘッドの底面部をほぼ覆う状態で、清掃用ヘッドにおける底面部より上方の保持部による保持と短冊状部による塵埃や毛髪等の絡め取り及び保持を効率的に実現し得るシート状拭材、清掃方法、清掃具。    【解決手段】  シート状拭材１０の短手方向の中央部を方形状の拭部１２とし、拭部１２の短手方向両側にそれぞれ側縁部１４を位置させる。両側縁部１４における長手方向両端よりやや内方の両位置に、側縁線に垂直な切込１６により方形状の舌片部１８を１つずつ形成する。両側縁部１４における舌片部１８以外の部分に、側縁線に垂直な切込１６によって舌片部１８よりも狭い幅の複数の短冊状部２０を並列形成してフリンジ状部Ｆとする。シート状拭材１０の拭部１２が清掃用ヘッドＢの底面部をほぼ覆う状態で、舌片部１８を清掃用ヘッドＢの保持部Ｂ１に押し込んで保持させ、シート状拭材１０を清掃用ヘッドＢに取り付ける。【選択図】      図２
2005034386.tif 000002
【特許請求の範囲】
【請求項１】
側縁部同士の間に位置する拭部が清掃用ヘッドの底面部をほぼ覆う状態で、その清掃用ヘッドにおける前記底面部よりも上方に設けられた保持部に前記側縁部の一部が保持された状態で使用され得るシート状拭材であって、
前記拭部の両側に位置する両側縁部に、前記保持部に保持されるための舌片部と、その舌片部よりも狭い幅の複数の短冊状部が並列してなるフリンジ状部とが、並列状に形成されていることを特徴とするシート状拭材。
【請求項２】
短冊状部の幅が、清掃用ヘッドの保持部に十分に保持され得ない幅である請求項１記載のシート状拭材。
【請求項３】
舌片部の幅が、少なくとも基部から保持部に保持される部分まで短冊形状部より幅広である請求項１又は２記載のシート状拭材。
【請求項４】
舌片部の幅が短冊形状部の幅の２倍以上である請求項１、２又は３記載のシート状拭材。
【請求項５】
舌片部の幅が４ｃｍ以上である請求項１乃至４の何れかに記載のシート状拭材。
【請求項６】
拭部の両側に位置する両側縁部が、拭部側を除き相互に分離した２枚又はそれ以上のシート状部が厚さ方向に重なり合ったものであり、両側縁部における重なり合ったシート状拭材に、舌片部とフリンジ状部が同一状に形成されている請求項１乃至５の何れかに記載のシート状拭材。
【請求項７】
請求項１乃至６の何れかに記載のシート状拭材を、拭部が清掃用ヘッドの底面部をほぼ覆う状態で、その拭部の両側に位置する両側縁部に形成された舌片部を前記清掃用ヘッドにおける前記底面部よりも上方に設けられた保持部に保持させることにより清掃用ヘッドに取り付け、清掃用ヘッドの底面部を覆う拭部により清掃対象面を拭くことを特徴とする清掃方法。
【請求項８】
請求項１乃至６の何れかに記載のシート状拭材を、拭部が清掃用ヘッドの底面部をほぼ覆う状態で、その拭部の両側に位置する両側縁部に形成された舌片部を前記清掃用ヘッドにおける前記底面部よりも上方に設けられた保持部に保持させることにより清掃用ヘッドに取り付けてなる清掃具。
【発明の詳細な説明】
【技術分野】
【０００１】
本発明は、側縁部に短冊状の房状部が設けられた、不織布等の繊維材料製又はその他の材料からなるシート状拭材、清掃方法、及び清掃具に関する。
【背景技術】
【０００２】
不織布等のシート状拭材の拭部が清掃用ヘッドの底面部をほぼ覆う状態とし、その拭部の両側に位置する両側縁部を、清掃用ヘッドの上面に設けられた保持部により保持することにより清掃用ヘッドにシート状拭材を取り付けて拭掃除を行うものは、手軽に床の清掃を行うことができるため広く用いられている。しかしながら、従来使用されている不織布製の拭材では、多量の塵埃や毛髪等を拭き取ることは困難である。
特許文献１には、平面状の拭取り部の周縁部に、多数の切り込みによって短冊状のはたき部が形成された不織布等の繊維材料からなる清掃布が開示されている。
【０００３】
この清掃布は、短冊状又はパイル状のはたき部を利用したはたきとしての使用の他に、拭取り部を利用した拭き掃除にも使用可能であり、清掃箇所に対応した幅広い使用が可能である。塵埃や毛髪等を短冊状部に絡めて保持する上でも効果を発揮し得る。
【特許文献１】特開平９−３８００９号公報
【発明の開示】
【発明が解決しようとする課題】
【０００４】
しかしながら、特許文献１記載の清掃布は、清掃具のヘッドに取り付けるために、そのヘッドを挿入するための空間として袋部を設けるか、或いは、図２又は図３に示すようにヘッドを包み込むことができる構成を設ける必要があった。
従って、シート状拭材を取り付けて拭掃除に使用する最も一般的な清掃用ヘッド、すなわち、シート状拭材の拭部が清掃用ヘッドの底面部をほぼ覆う状態において、その拭部の両側に位置する両側縁部を、清掃用ヘッドの上面等に設けられた保持部により保持してシート状拭材を取り付けて使用する清掃用ヘッドに使用することはできなかった。
【０００５】
本発明は、従来技術に存した上記のような課題に鑑み行われたものであって、その目的とするところは、シート状拭材の拭部が清掃用ヘッドの底面部をほぼ覆う状態において、清掃用ヘッドにおける底面部よりも上方に設けられた保持部による保持と短冊状部による塵埃や毛髪等の絡め取り及び保持を効率的に実現し得るシート状拭材、清掃方法、及び清掃具を提供することにある。
【課題を解決するための手段】
【０００６】
上記目的を達成する本発明のシート状拭材は、
側縁部同士の間に位置する拭部が清掃用ヘッドの底面部をほぼ覆う状態で、その清掃用ヘッドにおける前記底面部よりも上方に設けられた保持部に前記側縁部の一部が保持された状態で使用され得るシート状拭材であって、
前記拭部の両側に位置する両側縁部に、前記保持部に保持されるための舌片部と、その舌片部よりも狭い幅の複数の短冊状部が並列してなるフリンジ状部とが並列状に形成されていることを特徴とする。
【０００７】
また本発明の清掃方法は、前記本発明のシート状拭材を、拭部が清掃用ヘッドの底面部をほぼ覆う状態で、その拭部の両側に位置する両側縁部に形成された舌片部を前記清掃用ヘッドにおける前記底面部よりも上方に設けられた保持部に保持させることにより清掃用ヘッドに取り付け、清掃用ヘッドの底面部を覆う拭部により清掃対象面を拭くことを特徴とする。
【０００８】
本発明の清掃具は、前記本発明ののシート状拭材を、拭部が清掃用ヘッドの底面部をほぼ覆う状態で、その拭部の両側に位置する両側縁部に形成された舌片部を前記清掃用ヘッドにおける前記底面部よりも上方に設けられた保持部に保持させることにより清掃用ヘッドに取り付けてなるものである。
【０００９】
不織布若しくは紙類等の繊維材料製又はその他の材料からなるシート状拭材における拭部の両側に位置する両側縁部に、清掃用ヘッドの保持部に保持されるための舌片部と、その舌片部よりも狭い幅の複数の短冊状部が並列してなるフリンジ状部とが並列状に形成されており、舌片部及び短冊状部は何れも基端が拭部側に連結したものとなる。フリンジ状部を構成する隣接短冊状部同士の間は互いに分離しているため、それぞれが塵埃や毛髪等の絡め取り及び保持の効果を発揮する。シート状拭材の拭部が清掃用ヘッドの底面部をほぼ覆う状態において、シート状拭材の両側縁部のうち舌片部を清掃用ヘッドの保持部による保持に有効に利用し得るとともに、シート状拭材の両側縁部のうち舌片部以外の部分を、塵埃や毛髪等の絡め取り及び保持の効果が高いフリンジ状部として有効に利用することができるので、舌片部を利用した清掃用ヘッドによる保持とフリンジ状部による高い清掃効果が効率的に両立される。
【００１０】
短冊状部の幅は、清掃用ヘッドの保持部に十分に保持され得ない幅であるものとすることができる。
【００１１】
この場合、シート状拭材を、拭部が清掃用ヘッドの底面部をほぼ覆う状態で、その拭部の両側に位置する両側縁部に形成された舌片部を前記清掃用ヘッドにおける保持部に保持させることにより清掃用ヘッドに取り付け、清掃用ヘッドの底面部を覆う拭部により清掃対象面を拭くことができる。
【００１２】
一方、短冊状部の幅は、清掃用ヘッドの保持部に十分に保持され得ない幅である。すなわち、シート状拭材の拭部が清掃用ヘッドの底面部をほぼ覆う状態で、その拭部の両側に位置する両側縁部に形成された短冊状部を前記清掃用ヘッドにおける保持部に保持させ、その清掃用ヘッドの底面部を覆う拭部により清掃対象面を拭こうとすると、保持部による短冊状部の保持は不十分であるためシート状拭部が清掃用ヘッドに十分に確保されず、清掃作業を少なくとも十分に行うことができないこととなる。
【００１３】
舌片部の幅は、少なくとも基部から保持部に保持される部分まで短冊形状部より幅広であるものとして、清掃用ヘッドの保持部に確実に保持され得るものとすることが好ましい。
【００１４】
また舌片部の幅は、短冊形状部の幅の２倍以上（より好ましくは３倍以上）であるものとして、清掃用ヘッドの保持部に確実に保持され得るものとすることが好ましい。
【００１５】
また更に、舌片部の幅は、４ｃｍ以上であるものとして、清掃用ヘッドの保持部に確実に保持され得るものとすることが好ましい。舌片部の幅は、例えば２乃至１０ｃｍとすることができる。好ましくは４乃至８ｃｍとすることができる。
【００１６】
また、舌片部は、両側縁部における拭部を挟んで相対する位置に形成されたものであることが好ましい。この場合、両側縁部における拭部を挟んで相対する位置に舌片部が形成されているので、清掃用ヘッドの保持部による保持がバランスよく行われる。
【００１７】
また、本発明のシート状拭材は、拭部の両側に位置する両側縁部が、拭部側を除き相互に分離した２枚又はそれ以上のシート状部が厚さ方向に重なり合ったものであり、両側縁部における重なり合ったシート状拭材に、舌片部とフリンジ状部が同一状に形成されているものであることが好ましい。
【００１８】
この場合、両側縁部における重なり合ったシート状拭材に、舌片部とフリンジ状部が同一状に形成されているので、フリンジ状部における短冊状部の数が、拭部の両側に位置する両側縁部におけるシート状部の重なり合いの数に応じて２倍又はそれ以上となり、塵埃や毛髪等の絡め取り及び保持の効果が増大する。また舌片部を重なり合った状態で保持部により保持した場合、保持効果にも好影響がもたらされる。尤も、舌片部を必ずしも全て重なり合った状態で保持することを要するものではない。舌片部を重ねず１枚で保持するものとしてもよい。
【発明の効果】
【００１９】
本発明のシート状拭材、清掃方法、及び清掃具においては、シート状拭材の拭部が清掃用ヘッドの底面部をほぼ覆う状態において、シート状拭材の両側縁部のうち舌片部を清掃用ヘッドの保持部による保持に有効に利用し得るとともに、シート状拭材の両側縁部のうち舌片部以外の部分を、塵埃や毛髪等の絡め取り及び保持の効果が高いフリンジ状部として有効に利用することができるので、舌片部を利用した清掃用ヘッドによる保持とフリンジ状部による高い清掃効果が効率的に両立される。
【発明を実施するための最良の形態】
【００２０】
本発明の実施の形態を、図面を参照しつつ説明する。
図面は何れも本発明の実施の形態の例に関するものであって、図１は、シート状拭材の平面図、図２は、シート状拭材を取り付けた状態の清掃用ヘッドの平面図である。
【００２１】
シート状拭材１０は、合成繊維からなる不織布製であり、全体として方形状をなす。不織布としては例えばスパンボンド不織布等を用いることができるが特に限定されるものではない。紙に分類されるような繊維材料製のシート状拭材を採用することもできる。また、その他の繊維材料製及び非繊維材料製のシート状拭材を排除するものではない。また、シート状拭材の形状は必ずしも方形状に限らない。
【００２２】
清掃具Ａは、柄Ｃが自在継手状の連結部において連結された不織布取付用の平面長方形状の清掃用ヘッドＢに、シート状拭材１０が取り付けられてなるものである。清掃用ヘッドＢの底面は長方形状の平面（完全に平坦な面であることを要するものではない。）であり、その底面及びその全周縁部は、弾力性のある合成ゴムにより形成されている。
【００２３】
清掃用ヘッドＢの上面部における四隅部のそれぞれやや内方位置（短手方向及び長手方向における対象位置）に、シート状拭材１０を保持するための保持部Ｂ１が設けられている。各保持部Ｂ１は、６枚（複数枚であればよいが、好ましくは４乃至８枚。）の弾性舌片ｂ（例えば合成樹脂エラストマー製）からなる。各弾性舌片ｂは、基部において片持ち状にほぼ水平に支持され、それぞれ保持部Ｂ１の中央に位置する端部が平面視において尖端状をなす。シート状拭材１０の一部を保持部Ｂ１の上方から押し込むと、その部分が弾性舌片ｂの尖端同士の間に着脱可能に保持される。なお、これ以外の、シート状拭材１０を着脱可能に保持し得る手段を保持部として用いることももちろん可能である。
【００２４】
シート状拭材１０は、図１における短手方向の中央部に方形状の拭部１２が位置し、その拭部１２の短手方向両側にそれぞれ側縁部１４が位置し、拭部１２と両側縁部１４は一体をなす。このシート状拭材１０は、２枚の不織布が厚さ方向に重ね合せられ、拭部１２と両側縁部１４の境界線Ｌにおいて両者がヒートシールにより接合されたものである。従って、両側縁部１４は、拭部１２との境界線Ｌを除き相互に分離した状態で厚さ方向に重なり合っている。尤も、このように重ね合わせることを必ずしも要するものではなく、１枚のシート材料で構成されていてもよい。また、３枚以上重ね合わせてもよい。なお、複数枚のシート材料を重合して接合するには、接着材による接着等の他の手段を用いることも可能である。
【００２５】
両側縁部１４における長手方向両端よりもやや内方の両位置に、側縁線（シート状拭材１０の長手方向の辺）に垂直な切込１６によって略方形状の舌片部１８が１つずつ形成されている。舌片部１８は、清掃具Ａの清掃用ヘッドＢの上面部に設けられた保持部Ｂ１に保持されるためのものである。この例における舌片部１８は、両側縁部１４における拭部１２を挟んで相対する位置に合計４つ形成され、清掃用ヘッドＢの保持部Ｂ１による保持がバランスよく行われる。なお、舌片部１８は、取付作業及び保持バランス上、４つが好ましいが、４より多くてもよく（例えば６）、少なくすることも可能であり、また、必ずしも偶数とすることを要するものではない。
【００２６】
また、両側縁部１４における舌片部１８以外の部分は、側縁線に垂直な切込１６によって舌片部１８よりも狭い幅の複数の短冊状部２０が並列形成され、それらの並列した短冊状部２０がフリンジ状部Ｆを構成している。従って、両側縁部１４には、舌片部１８とフリンジ状部Ｆとが並列状（それぞれの基部［拭部１２側］から端部［側縁側］に向かう方向が並列した状態）に形成されている。フリンジ状部Ｆを構成する隣接短冊状部２０同士の間は、切込１６により互いに分離しているため、それぞれが塵埃や毛髪等の絡め取り及び保持の効果を発揮する。短冊状部２０を形成するための切込１６は、各短冊状部２０の両側部における塵埃や毛髪等の絡め取り及び保持の効果を高める上で、この例のように三角波状としたり、その他の波形状とすることが好ましい。短冊状部２０の幅は、清掃用ヘッドＢの保持部Ｂ１に十分に保持され得ない幅である。なお、切込１６は、側縁線に垂直であることを要するものではなく、傾斜状であったり、曲線状であってもよい。切込１６は互いに平行であってもよく、平行でなくてもよい。
【００２７】
このシート状拭材１０の拭部１２が清掃用ヘッドＢの底面部をほぼ覆う状態において、シート状拭材１０の両側縁部１４のうち舌片部１８を清掃用ヘッドＢの保持部Ｂ１に押し込んで保持させることにより、シート状拭材１０を清掃用ヘッドＢに取り付けることができると共に、シート状拭材１０の両側縁部１４のうち舌片部１８以外の部分は、側方等に拡開させた状態で、塵埃や毛髪等の絡め取り及び保持の効果が高いフリンジ状部Ｆとして有効に利用することができる。この例においては、拭部１２の短手方向両側の側縁部１４のみではなく、他の周縁部である長手方向両端の端縁部２２にも、その両端縁線に垂直な切込２４によって舌片部１８よりも狭い幅の複数の短冊状部２６が並列形成され、塵埃や毛髪等の絡め取り及び保持の効果を発揮している。
【００２８】
この例における舌片部１８の幅（切込１６に対し直交する方向の幅）は、それぞれ幅６ｃｍで、切込１６方向において幅は一定である。そのため、舌片部１８が清掃用ヘッドＢの保持部Ｂ１に確実に保持され、また、舌片部１８に作用する張力にも十分耐え得る。
【００２９】
短冊状部２０の幅は、舌片部１８の幅の４分の１である。幅が十分に小さいできるだけ多くの短冊状部２０がフリンジ状部Ｆを構成しているので、塵埃や毛髪等の絡め取り及び保持の効果が高い。
【００３０】
この例における舌片部１８と短冊状部２０からなるフリンジ状部Ｆは、重ね合わされた２つの側縁部１４のシート状拭材１０に同一状に形成されている（必ずしもこれに限らない）。そのため、フリンジ状部Ｆにおける短冊状部２０の数が２倍となり、塵埃や毛髪等の絡め取り及び保持の効果が増大する。また舌片部１８を重なり合った状態で保持部Ｂ１により保持することにより、保持効果にも好影響がもたらされる。尤も、舌片部１８を重ねず１枚で保持するものとすることもでき、その場合、他の舌片部１８はフリンジ状部Ｆと共に側方等に拡開させた状態で使用することができる。
【図面の簡単な説明】
【００３１】
【図１】シート状拭材の平面図である。
【図２】シート状拭材を取り付けた状態の清掃用ヘッドの平面図である。
【符号の説明】
【００３２】
１０  シート状拭材
１２  拭部
１４  側縁部
１６  切込
１８  舌片部
２０  短冊状部
２２  端縁部
２４  切込
２６  短冊状部
Ａ    清掃具
Ｂ    清掃用ヘッド
Ｂ１  保持部
ｂ    弾性舌片
Ｃ    柄
Ｆ    フリンジ状部
【図１】
2005034386.tif 000003
【図２】
2005034386.tif 000004